(57)【要約】【課題】折畳機構がコンパクトで軽量なうえ、天板の下方に充分な空間が得られる折畳テーブルを目的とする。【解決手段】脚２に枢軸をもって回動自在に枢着された天板１を水平状態と起立状態との２態様に変位させる折畳機構３を設けた折畳テーブルにおいて、折畳機構３が脚２側に設けられた天板１の水平ロック用ピン１３および起立ロック用ピン１４と、天板側に枢着されて水平ロック用ピン１３を係合させる第１係止溝１１および起立ロック用ピン１４を係合させる第２係止溝１２とを形成した掛け金１０と、該掛け金１０を係合状態に付勢するばね１５と、掛け金１０の係合状態を解除する操作レバー１６とからなるものである。【選択図】図１
0003118282.tif 000002
【実用新案登録請求の範囲】
【請求項１】
脚に枢軸をもって回動自在に枢着された天板を水平状態と起立状態との２態様に変位させる折畳機構を設けた折畳テーブルにおいて、折畳機構が脚側に設けられた天板の水平ロック用ピンおよび起立ロック用ピンと、天板側に枢着されて水平ロック用ピンを係合させる第１係止溝および起立ロック用ピンを係合させる第２係止溝とを形成した掛け金と、該掛け金を係合状態に付勢するばねと、掛け金の係合状態を解除する操作レバーとからなることを特徴とする折畳テーブル。
【請求項２】
天板の枢軸と水平ロック用ピン距離を天板の枢軸と起立ロック用ピン距離より長くしたことを特徴とする請求項１に記載の折畳テーブル。
【請求項３】
天板の起立状態を前傾姿勢としたことを特徴とする請求項１または２に記載の折畳テーブル。
【考案の詳細な説明】
【技術分野】
【０００１】
本考案は天板を水平の使用状態から起立させた不使用状態に折り畳むことができる折畳テーブルに関するものである。
【背景技術】
【０００２】
従来、折畳テーブルにおける天板の折畳機構は種々知られており、脚杆の上端に垂下片を介して卓板を枢軸で枢着し、操作ハンドルの後端部に設けた回動軸を垂下片に枢着するとともに１箇所の係合溝を有する掛金具を前記回動軸に揺動自在に軸支し、脚杆の上端側面に上下に間隔をおいて張設した２本の係止片のいずれか一方に前記係合溝を係合させることによって卓板を水平状態あるいは垂直状態とするものがある（例えば、特許文献１参照）。
【０００３】
しかし、掛金具の係止溝を１箇所として該係止溝に係合する係止片を脚杆の上端側面に上下２箇所に設けたものとし、該各係止片に掛金具の係止溝を係合させるようになっているため、掛金具が大きくなり係止機構が大型化するうえに卓板の下面に設けた垂下片の上下幅が大きくなり、卓板の下方空間に配置される使用者の膝が当たり易くなるという問題が生じるため、垂下片の先方部を先細テーパ状に加工して膝が当たらないようにする必要があり、使用する材料が増すうえに加工によるコストアップが避けられないという問題があった。さらに、係止機構の大型化により折畳テーブルが重くなり取り扱いが厄介となる問題があった。
【特許文献１】実開昭６１−１２３７４０号公報
【考案の開示】
【考案が解決しようとする課題】
【０００４】
本考案は折畳機構がコンパクトなうえ、天板の下方に充分な空間が得られる折畳テーブルを提供することを目的とするものである。
【課題を解決するための手段】
【０００５】
本考案は、脚に枢軸をもって回動自在に枢着された天板を水平状態と起立状態との２態様に変位させる折畳機構を設けた折畳テーブルにおいて、折畳機構が脚側に設けられた天板の水平ロック用ピンおよび起立ロック用ピンと、天板側に枢着されて水平ロック用ピンを係合させる第１係止溝および起立ロック用ピンを係合させる第２係止溝とを形成した掛け金と、該掛け金を係合状態に付勢するばねと、掛け金の係合状態を解除する操作レバーとからなる折畳テーブルを請求項１の考案とし、請求項１の考案において、天板の枢軸と水平ロック用ピン距離を天板の枢軸と起立ロック用ピン距離より長くした折畳テーブルを請求項２の考案とし、請求項１または２の考案において、天板の起立状態を前傾姿勢とした折畳テーブルを請求項３の考案とするものである。
【考案の効果】
【０００６】
本考案は、折畳機構が脚側に設けられた天板の水平ロック用ピンおよび起立ロック用ピンと、天板側に枢着されて水平ロック用ピンを係合させる第１係止溝および起立ロック用ピンを係合させる第２係止溝とを形成した掛け金と、該掛け金を係合状態に付勢するばねと、掛け金の係合状態を解除する操作レバーとからなるものとして水平ロック用ピンに係合する第１係止溝と起立ロック用ピンに係合する第２係止溝を別々に形成することにより、天板の枢軸位置と水平ロック用ピン位置および天板の枢軸位置と起立ロック用ピン位置とを任意の位置に配置できるので掛け金を小さくしたり、掛け金の取り付け位置等を自由にできるので設計の自由度が高くなり折畳機構を小型化を図ることができる。
また、請求項２のように、天板の枢軸と水平ロック用ピン距離を天板の枢軸と起立ロック用ピン距離より長くすることにより、天板を水平とした使用状態時、天板にかかる荷重を受ける掛け金にかかる力を低減でき掛け金の破損や変形を防止することができる。また、天板を起立させた場合には、掛け金にかかる荷重は天板の重さだけとなるので、天板の枢軸と起立ロック用ピン距離が短くなっても掛け金は荷重に耐えることができるので、折畳機構をコンパクトに設計することができる。
さらに、請求項３のように、天板の起立状態を前傾姿勢とすることにより、掛け金にかかる天板の荷重を一方向とすることにより、天板を垂直に起立させた中立状態に維持させる場合のように、前方および後方への動きを止めるように設計しなくてよいので、折畳機構の設計が容易となるうえに天板の起立時の姿勢を安定させるることができる。さらに、天板の起立操作時の操作量を少なくすることができるので折り畳み操作を容易且つ素早く行うことができる。また、前傾させているため折畳状態が安定し、天板を折畳んで移動させたり、収納させたりする際の振動や衝撃で天板の折畳状態が解除されることがない。
【考案を実施するための最良の形態】
【０００７】
次に、本考案の好ましい実施の形態を図に基づいて詳細に説明する。
図１中、１は脚２に枢着された天板であり、該天板１は折畳機構３により水平の使用状態と起立された折畳状態との２態様をとることができる。前記脚３の形状は図３に示されるような逆Ｔ字形状の他、Ｌ字形状、人字形状等左右に１本の脚柱が形成されるものとしている。３ａは脚柱間に張架される桁材であり、３ｂは脚柱の上端に取り付けられるブラケットであり、該ブラケット３ｂに折畳機構３が取り付けられている。
【０００８】
前記折畳機構３は掛け金１０と、掛け金１０に形成された第１係止溝１１と第２係止溝１２と係合する水平ロック用ピン１３および起立ロック用ピン１４と、掛け金１０を前記各ピンに向かって付勢させるばね１５と、第１・第２係止溝１１、１２と水平・起立ロック用ピン１３、１４とのロック状態を解除する操作レバー１６とからなる。該操作レバー１６は天板１の下面左右に配設されるチャンネル材１７内に配置されていて不用意に操作レバー１６に触れてロックが解除されることがないようにしている。１８はチャンネル材１７に軸支される掛け金１０の枢軸である。
【０００９】
前記掛け金１０の第１係止溝１１は水平ロック用ピン１３に係合して使用状態の水平を維持するものであり、第２係止溝１２は起立ロック用ピン１４に係合して天板１を折り畳んだ起立状態を維持するものである。また、掛け金１０は前記操作レバー１６と一体となっている。これにより操作レバー１６を操作することにより第１・第２係止溝１１、１２と水平ロック用ピン１３および起立ロック用ピン１４との係合状態をばね１５の付勢力に抗して解除することができるようになっている。
【００１０】
また、前記水平ロック用ピン１３および起立ロック用ピン１４は天板１の枢軸２０からの距離を異ならせて配置されており、水平ロック用ピン１３と枢軸２０との距離を起立ロック用ピン１４と枢軸２０との距離より大きくして、天板使用時、折畳機構３の掛け金１０等にかかる荷重を低減して荷重に耐えるようにし、起立時のように掛け金１０に天板１の重さを越える大きな荷重がかからないような場合には、起立ロック用ピン１４と枢軸２０との距離を近接させて折畳機構３の小型化を図っている。このことは起立ロック用ピン１４と枢軸２０との距離を短くすれば、折畳機構３の掛け金１０等にかかる力は大きくなるが天板１の重みに耐えられる程度の強度があればいいからである。
【００１１】
また、前記ばね１５はコイルばねの一端を延長して掛け金１０の切欠２１に係止させ、他端を掛け金１０の枢軸１８に係止させたものとして、掛け金１０が水平・起立ロック用ピン１３、１４に向かって付勢され、ロック状態が維持されるようになっている。
【００１２】
このように構成されたものは、掛け金１０の第１係止溝１１を水平ロック用ピン１３に係合させて天板１を水平状態に維持させれば、水平の天板１上での事務処理等が行えるものとなることは従来と同様であるが、折畳テーブルを使用しないときには、天板１を起立させて折り畳んで場所とることがないようにしている。
【００１３】
天板１の折り畳み操作は、天板１の前面下側にある操作レバー１６を引き上げることにより、ばね１５の付勢力に抗して掛け金１０は時計回り方向に回動することとなり、第１係止溝１１は水平ロック用ピン１３との係合が解除されることとなる。
【００１４】
水平ロック用ピン１３と第１係止溝１１との係合が解除された後、天板１を引き上げれば、天板１は脚３との枢軸２０を中心として時計回り方向に起立回動されることとなる。
【００１５】
天板１が直立状態近くまで起立されるとばね１５の付勢力により掛け金１０の第２係止溝１２に起立ロック用ピン１４が係合して回動は停止されると同時にばね１５の付勢力により掛け金１０の第２係止溝１２は起立ロック用ピン１４に係合されてロック状態が維持されることとなる。このとき天板１は若干前傾した状態となるため、天板１の荷重は一方向（前傾方向）に加えられるので極めて安定した状態が維持できるので、天板を折畳んで移動させる際や収納時の衝撃により天板１の折畳みが状態が解除されることがなく安定した折畳状態が維持されることとなる。
【図面の簡単な説明】
【００１６】
【図１】本考案の好ましい実施の形態を示す側面図である。
【図２】同じく折畳機構を拡大して示す要部の拡大図である。
【図３】本考案の全体図を示す斜視図である。
【符号の説明】
【００１７】
１  天板
２  脚
３  折畳機構
10  掛け金
11  第１係止溝
12  第２係止溝
13  水平ロック用ピン
14  起立ロック用ピン
15  ばね
16  操作レバー
【図１】
0003118282.tif 000003
【図２】
0003118282.tif 000004
【図３】
0003118282.tif 000005